【事件の表示】
　　特許第２７４０１８０号「複写装置」の特許に対する特許異議の申立てについて、次のとおり決定する。
【結　論】
　訂正を認める。
　特許第２７４０１８０号の請求項１ないし４に係る特許を維持する。
【理　由】
 (１）手続の経緯
　本件特許第２７４０１８０号の請求項１ないし４項に係る発明は、昭和６３年４月１日に特許出願され、平成１０年１月２３日にその特許の設定登録がされ、その後異議申立人シャープ株式会社により特許異議の申立てがなされ、取消理由通知がなされ、その指定期間内である平成１１年７月２１日に訂正請求がされた後、訂正拒絶理由が通知され、訂正拒絶理由に対して手続補正書が提出されたものである。
（２）訂正の適否についての判断
ア．訂正請求に対する補正の適否について
　特許権者は、訂正請求書第２頁７行ないし２４行の特許請求の範囲の請求項１を補正し、この補正に伴って、訂正請求書第３頁２１行ないし２５行の記載を補正し、訂正請求書第３頁２８行と２９行との間に訂正事項ｆ〜ｈを追加し、さらに、訂正請求書第３頁３０行から第５頁３行に記載された訂正の要旨および請求の原因の記載を補正するものである。
　上記補正を検討すると、当該補正は、訂正請求書の要旨を変更するものではないので、特許法第１２０条の４第３項において準用する同法第１３１条第２項の規定に適合する。
イ．訂正の目的の適否、新規事項の有無及び拡張・変更の存否
　特許権者が求めている訂正の内容は以下のとおりである。
ａ．請求項１の記載において、「操作部」を「複写条件を設定するための複数の操作キーを有する操作部」に、「前記操作部への操作があったか否かを検出する検出手段」を「前記複数の操作キーのいずれかの操作があったか否かを検出する検出手段」に、「前記検出手段により前記操作部が一定時間以上操作されておらず、かつ、前記判断手段により前記記憶データを印字することができると判断された場合に、前記記憶データを前記印字部により印字するように制御する手段」を「前記印字部が予熱モードに切り替わっていないときには、前記検出手段の検出結果により前記複数の操作キーがいずれも一定時間以上操作されておらず、かつ、前記判断手段により前記記憶データを印字することができると判断された場合に、前記記憶データを前記印字部により印字するように制御し、前記予熱モード切替手段により予熱モードに切り替わっているときには、前記予熱モードに切り替わっていないときと同様に前記通信回線によりデータの受信があるとそのデータを記憶し、前記判断手段により前記記憶データを印字することができると判断されると、直ちに前記記憶データを前記印字部により印字するように制御する手段」にそれぞれ訂正すると共に、「印字部の予熱モードへの切り替えを行なう予熱モード切替手段」を追加し、
ｂ．請求項３の記載において、「前記印字部の消費電力を印字可能の状態より小さくしておく予熱モードへの切り替えを行なう予熱モード切替手段」を削除し、
ｃ．前記請求項１、３の訂正に伴って、発明の詳細な説明（特許公報第２頁左欄２８行ないし右欄９行）を訂正する。
　上記各訂正事項を検討すると、上記訂正事項ａに関する構成は、願書に添付した明細書（以下「特許明細書」という。）の発明の詳細な説明及び図面に記載（特許公報第２頁右欄６行ないし８行、第８頁左欄２３行ないし３０行、第８頁左欄４１行ないし４８行、第９頁左欄３６行ないし右欄３４行、図面１８図、１９図、２２図、参照）されており、上記訂正事項ａは、願書に添付した明細書の記載の範囲内で、複写装置の構成を限定したものといえるから、特許請求の範囲の減縮を目的とする訂正であって、新規事項の追加に該当せず、また、実質上特許請求の範囲を拡張し、又は変更するものでもない。
　訂正事項ｂは、訂正前の請求項３に記載されていた「予熱モード切替手段」を請求項１に追加したことに伴ってなされた構成の一部削除であって、明りょうでない記載の釈明を目的とする訂正であり、新規事項の追加ではなく、また、実質上特許請求の範囲を拡張し、又は変更するものでもない。
　訂正事項ｃは、特許請求の範囲の訂正に伴う発明の詳細な説明の訂正であって、明りょうでない記載の釈明を目的とする訂正であり、新規事項の追加ではなく、また、実質上特許請求の範囲を拡張し、又は変更するものでもない。　
ウ．独立特許要件の判断
　訂正明細書の請求項１ないし４に係る発明は、その特許請求の範囲の請求項１ないし４に記載された次の事項により特定されるとおりのものである。
【請求項１】複写条件を設定するための複数の操作キーを有する操作部と、原稿を読取る読取部と、通信回線により受信したデータを記憶データとして記憶する記憶部と、前記読取部からのデータまたは前記記憶部からの記憶データを印字する印字部と、前記印字部の予熱モードへの切り替えを行なう予熱モード切替手段とを有する複写装置において、前記複数の操作キーのいずれかの操作があったか否かを検出する検出手段と、前記印字部が前記記憶データを印字することができるか否かを判断する判断手段と、前記印字部が予熱モードに切り替わっていないときには、前記検出手段の検出結果により前記複数の操作キーがいずれも一定時間以上操作されておらず、かつ、前記判断手段により前記記憶データを印字することができると判断された場合に、前記記憶データを前記印字部により印字するように制御し、前記予熱モード切替手段により予熱モードに切り替わっているときには、前記予熱モードに切り替わっていないときと同様に前記通信回線によりデータの受信があるとそのデータを記憶し、前記判断手段により前記記憶データを印字することができると判断されると、直ちに前記記憶データを前記印字部により印字するように制御する手段と、を有することを特徴とするデジタル複写装置。
【請求項２】請求項（１）項記載の複写装置において、前記記憶データの印字前の複写装置のモードを記憶するモード記憶手段と、前記記憶データの印字中に前記検出手段により検出がなされなかった場合は印字終了後に前記モード記憶手段に記憶された複写装置のモードに復帰し、印字中に前記検出手段により検出がされた場合は印字終了後にその操作された複写装置のモードにするように制御する手段と、を有することを特徴とする複写装置。
【請求項３】請求項（２）項記載の複写装置において、前記予熱モード中に前記通信回線によりデータを受信した場合は前記モード記憶手段には前記予熱モードを記憶するように制御する手段を有することを特徴とする複写装置。
【請求項４】請求項（１）乃至（３）項のいずれか記載の複写装置において、印字出力操作を制限する制限手段と、前記制限手段が印字出力操作を制限している場合であっても、印字データが前記記憶データである場合は印字可能とするように制御する手段と、を有することを特徴とする複写装置。
（請求項１に係る発明について）　
　訂正明細書の請求項１に係る発明に対し、当審が訂正拒絶理由で引用した刊行物１（特開昭６１−８０４６１号公報）には、操作部（キーボード）と、原稿を読み取る読取部（画像情報入力部）と、通信回線により受信したデータを記憶データとして記憶する記憶部（メモリ、画像メモリ）と、前記読取部からのデータまたは前記記憶部からの記憶データを印字する印字部（画像情報出力部）と、を有する複写装置（画像情報処理システム）において、オフラインに設定されている状態において（第２図（Ａ）、ステップＳ５）、オンライン出力要求がある場合、入出力装置（６，７）が使用中であるかどうかを調べ（ステップＳ７）、使用中でなければ入出力装置が不使用により一定時間経過しているかどうかを調べ（ステップＳ８）、一定時間経過しておれば、画像メモリより出力装置に画像データを出力して印刷出力する（第２図（Ｃ）、ステップＳ３４，Ｓ３５）ようにした複写装置が記載されている。
　同じく引用した刊行物２（特開昭５９−２２３４６３号公報）には、あるモードが選択されても一定時間例えば一分間の間に記録動作のスタート信号（コピー・ボタン・オン）がなければ自動的に次の優先順位のモードに移ることが記載され（４頁左上欄１８行ないし右上欄２行）、また、Ａモード（プリントモード）実行中に倍率、濃度等の設定を可能とするべくメモリ等に記憶するように構成し、Ａモード終了時後に一定時間たってもＡモードによる動作指令がないと複写モードに切り替えが行われ、自動的に選択された倍率、用紙サイズ等に切り替わって画像記録が行われることが記載されている（第５頁左上欄８行ないし左下欄３行）。
　訂正明細書の請求項１に係る発明と刊行物１に記載された発明とを対比すると、刊行物１に記載された発明は、一定時間以上複写装置（読取部からのデータを印字するモード）として使用されていない場合に、通信回線により受信した記憶データを印字する構成を開示するのみで、訂正明細書の請求項１に係る発明が要件とする「前記印字部の予熱モードへの切り替えを行なう予熱モード切替手段とを有する複写装置」において、「前記複数の操作キーのいずれかの操作があったか否かを検出する検出手段」を有し、「前記印字部が予熱モードに切り替わっていないときには、前記検出手段の検出結果により前記複数の操作キーがいずれも一定時間以上操作されておらず、かつ、前記判断手段により前記記憶データを印字することができると判断された場合に、前記記憶データを前記印字部により印字するように制御し、前記予熱モード切替手段により予熱モードに切り替わっているときには、前記予熱モードに切り替わっていないときと同様に前記通信回線によりデータの受信があるとそのデータを記憶し、前記判断手段により前記記憶データを印字することができると判断されると、直ちに前記記憶データを前記印字部により印字するように制御する手段」について、開示も示唆もしない。　　　　　　
　また、刊行物２に記載された発明は、一定時間内にコピー・モード・ボタンの操作がなければ、次の優先順位のモードに移ることを開示するだけで、上記構成について開示も示唆もしない。
　また、刊行物１、２に記載された発明は上記構成を備えていないから、これらの発刊行物１、２に記載された発明を組み合わせても訂正明細書の請求項１に係る発明を得ることはできない。
　したがって、訂正明細書の請求項１に係る発明は、刊行物１、２に記載された発明に基づいて当業者が容易に発明をすることができたものではないから、特許出願の際独立して特許を受けることができるものである。
（請求項２ないし４に係る発明について）
　訂正明細書の請求項２ないし請求項４に係る発明は、訂正明細書の請求項１に係る発明を引用し、その構成を全て含むものであるから、上記訂正明細書の請求項１に係る発明の判断で示した理由と同じ理由により、特許出願の際独立して特許を受けることができるものである。
エ．むすび
　以上のとおりであるから、上記訂正は、特許法第１２０条の４第３項で準用する同第１２６条第４項の規定に適合するので、当該訂正を認める。
（３）特許異議申立について
ア．本件請求項１ないし４に係る発明
　本件特許第２７４０１８０号の請求項１ないし４に係る発明は、訂正明細書の特許請求の範囲の請求項１ないし４に記載された事項（上記（２）．ウ参照）により特定されるとおりのものである。
イ．申立ての理由の概要
　特許異議申立人シャープ株式会社は、甲第１号証（刊行物１）、甲第２号証（刊行物２）、甲第３号証（特開昭６０−２０３０６２号公報）、及び参考資料（特開昭６１−２９２６５号公報）を提出し、本件請求項１ないし４に係る発明は、甲第１号証、甲第２号証、甲第３号証、及び参考資料に記載された発明に基いて、当業者が容易に発明をすることができたものであり、特許法第２９条第２項の規定により、特許を受けることができないものであるから、特許を取り消すべき旨主張している。
ウ．判断
　特許異議申立人が提出した甲第１号証（刊行物１）及び甲第２号証（刊行物２）は、上記（２）．ウ．独立特許要件の判断の項に記載した構成を開示し、同じく特許異議申立人が提出した甲第３号証は、「電源を投入すると、装置は待機状態となる。この待機状態においては、操作部１９のスイッチ類の操作により送信、受信、コピーを指示しても、その指示信号はＣＰＵ２１に受け付けられず無効であり、従って、オペレータはファクシミリ装置を操作できない。ただし、記憶部１８の記憶情報の出力を指示する信号は受け付けられる」ようにしたファクシミリ装置を開示し、同じく特許異議申立人が提出した参考資料は、「一定のプリンタ動作不能状態無しを検出すると自動的に前記画像メモリ毎に記憶した画像データを読み出して用紙に記録する」ようにしたファクシミリ装置を開示するが、本件請求項１ないし４が要件とする上記（２）．ウ．独立特許要件の判断の項で指摘した構成については開示も示唆もしない。
　また、甲第１号証ないし甲第３号証及び参考資料に記載された発明を組み合わせても、本件請求項１ないし４に係る発明を得ることはできない。
　本件請求項１ないし４に係る発明は、上記構成により、明細書記載の格別の作用効果を奏するものである。
　したがって、本件請求項１ないし４に係る発明は、甲第１号証ないし甲第３号証、及び参考資料に記載された発明に基いて、当業者が容易に発明をすることができたものとすることはできない。
　また、他に本件請求項１ないし４に係る特許を取り消す理由を発見しない。
　よって、結論のとおり決定する。           
【異議決定日】
平成１２年３月２８日（２０００．３．２８）
【訂正の要旨】
ａ．請求項１の記載において、特許請求の範囲の減縮を目的として、「操作部」を、「複写条件を設定するための複数の操作キーを有する操作部」に、「前記操作部への操作があったか否かを検出する検出手段」を「前記複数の操作キーのいずれかの操作があったか否かを検出する検出手段」に、「前記検出手段により前記操作部が一定時間以上操作されておらず、かつ、前記判断手段により前記記憶データを印字することができると判断された場合に、前記記憶データを前記印字部により印字するように制御する手段」を「前記印字部が予熱モードに切り替わっていないときには、前記検出手段の検出結果により前記複数の操作キーがいずれも一定時間以上操作されておらず、かつ、前記判断手段により前記記憶データを印字することができると判断された場合に、前記記憶データを前記印字部により印字するように制御し、前記予熱モード切替手段により予熱モードに切り替わっているときには、前記予熱モードに切り替わっていないときと同様に前記通信回線によりデータの受信があるとそのデータを記憶し、前記判断手段により前記記憶データを印字することができると判断されると、直ちに前記記憶データを前記印字部により印字するように制御する手段」にそれぞれ訂正すると共に、「印字部の予熱モードヘの切り替えを行なう予熱モード切替手段」を追加し、
ｂ．請求項３の記載において、明瞭でない記載の釈明を目的として、「前記印字部の消費電力を印字可能の状態より小さくしておく予熱モードヘの切り替えを行なう予熱モード切替手段」を削除し、
ｃ．前記請求項１、３の訂正に伴って、明瞭でない記載の釈明を目的として、発明の詳細な説明（特許公報第２頁左欄２８行ないし右欄９行）を訂正する。
（５４）【発明の名称】
複写装置
（５７）【特許請求の範囲】
　【請求項１】　
複写条件を設定するための複数の操作キーを有する
　通信回線により受信したデータを記憶データとして記憶する記憶部と、
　前記読取部からのデータまたは前記記憶部からの記憶データを印字する印字部と、
　
前記印字部の予熱モードヘの切り替えを行なう予熱モード切替手段とを
　前記
複数の操作キーのいずれか
　前記印字部が前記記憶データを印字することができるか否かを判断する判断手段と、
　
前記印字部が予熱モードに切り替わっていないときには、
複数の操作キーがいずれも
し、前記予熱モード切替手段により予熱モードに切り替わっているときには、前記予熱モードに切り替わっていないときと同様に前記通信回線によりデータの受信があるとそのデータを記憶し、前記判断手段により前記記憶データを印字することができるど判断されると、直ちに前記記憶データを前記印字部により印字するように制御
　を有することを特徴とする
デジタル
　【請求項２】請求項（１）項記載の複写装置において、
　前記記憶データの印字前の複写装置のモードを記憶するモード記憶手段と、
　前記記憶データの印字中に前記検出手段により検出がなされなかった場合は印字終了後に前記モード記憶手段に記憶された複写装置のモードに復帰し、印字中に前記検出手段により検出がされた場合は印字終了後にその操作された複写装置のモードにするように制御する手段と、
　を有することを特徴とする複写装置。
　【請求項３】請求項（２）項記載の複写装置において、
　前記予熱モード中に前記通信回線によりデータを受信した場合は前記モード記憶手段には前記予熱モードを記憶するように制御する手段を有することを特徴とする複写装置。
　【請求項４】請求項（１）乃至（３）項のいずれか記載の複写装置において、
　印字出力操作を制限する制限手段と、
　前記制限手段が印字出力操作を制限している場合であっても、印字データが前記記憶データである場合は印字可能とするように制御する手段と、
　を有することを特徴とする複写装置。
【発明の詳細な説明】
　〔技術分野〕
　本発明は、ファクッス機能を備えた複写装置に関するものである。
　〔従来技術〕
　従来、ファクシミリ装置と複写装置とを複合させようとするとき、その複合装置におけるコピーモードからファックスモード、あるいはファックスモードからコピーモードヘの切り換えが複雑であり、操作性の点で問題があった。
　〔目的〕
　本発明はこのような現状に鑑みなされたもので、ダウンタイムを短縮して使用効率の高い複写装置を提供することを目的とするものである。
　〔構成〕
　前記目的を達成するため、本発明の第１の手段は、
　例えば変
倍キー、濃度調整キー、コピースタートキーなどの複写条件を設定するための複数の操作キーを有する
　例えばスキャナ部などの原稿を読取る読取部と、
　通信回線により受信したデータを記憶データとして記憶する例えばフレームメモリなどの記憶部と、
　前記読取部からのデータまたは前記記憶部からの記憶データを印字する例えば書き込み部、感光体部、現像部、給紙部などから構成される印字部と、
　
前記印字部の消費電力を印字可能の状態より小さくしておく予熱モードヘの切り換えを行なう例えば予熱モードキーなどの予熱モード切替手段とを
　そして前記
複数の操作キーのいずれか
　前記印字部が前記記憶データを印字することができるか否かを判断する判断手段と、
　
前記印字部が予熱モードに切り替わっていないときには、
複数の操作キーがいずれも
し、前記予熱モード切替手段により予動モードに切り替わっているときには、前記予熱モードに切り替わっていないときと同様に前記通信回線によりデータの受信があるとそのデータを記憶し、前記判断手段により前記記憶データを印字することができると判断されると、直ちに前記記憶データを前記印字部により印字するように制御
　本発明の第２の手段は、前記第１の手段において、
　前記記憶データの印字前の複写装置の例えば複写待機モード、予熱モード、メインスイッチオフモードなどのモードを記憶するモード記憶手段と、
　前記記憶データの印字中に前記検出手段により検出がされなかった場合は印字終了後に前記モード記憶手段に記憶された複写装置のモードに復帰し、印字中に前記検出手段により検出がされた場合は印字終了後にその操作された複写装置のモードにするように制御する手段とを有することを特徴とするものである。
　本発明の第３の手段は、前記第２の手段において、
　前記予熱モード中に前記通信回線によりデータを受信した場合は前記モード記憶手段には前記予熱モードを記憶するように制御する手段を有することを特徴とするものである。
　本発明の第４の手段は、前記第１〜第３の手段のいずれかにおいて、
　印字出力操作を制限する例えばキーカウンタなどの制限手段と、
　前記制限手段が印字出力操作を制限している場合であっても、印字データが前記記憶データである場合は印字可能とするように制御する手段とを有することを特徴とするものである。
　なお、前記判断手段、記憶データを印字部により印字するように制御する手段、モード記憶手段、記憶データの印字終了後にモードを切り替える制御手段、印字出力操作を制限している場合に記憶データを印字するように制御する手段は、例えば制御ユニット中のＣＰＵによって構成されている。
　次に本発明の実施例を図面とともに説明する。
　第１図は、この複合装置全体のブロック図である。同図に示すように複合装置は、スキャナ部Ａと、操作部Ｂと、プロッタ部Ｃと、ファックス部Ｄとから主に構成されている。
　前記スキャナ部Ａは、スキャナ制御部、ＣＣＤ、自動原稿送り装置（ＡＤＦ）などを備えている。前記操作部Ｂは、後述する操作パネルを備えている。前記プロッタ部Ｃは、全体の動作を制御するメイン制御板、転写紙の給紙から排紙までの動作を制御するシーケンス制御板ならびにソータなどを備えている。前記ファックス部Ｄは、ファックスインターフェースや通信回路などを備えている。
　次に複写装置であるデジタル複写機の具体的な構成について説明する。第２図はそのデジタル複写機全体の構成図、第３図はそのデジタル複写機における書き込み部の平面図である。
　まず、第２図を用いてデジタル複写機の概略構成について説明する。デジタル複写機は同図に示すうに複写機本体（Ｉ）と、自動原稿送り装置〔ＡＤＦ〕（ＩＩ）と、ソータ（ＩＩＩ）と、両面反転ユニット（ＩＶ）との４つのユニットから構成されている。
　前記複写機本体（Ｉ）は、スキャナ部、書き込み部、感光体部、現像部ならびに給紙部などを備えている。次に以上の各部の構成、動作などについて説明する。
〔スキャナ部〕
　反射鏡１と光源３と第１ミラー２とを装備して一定の速度で移動する第１スキャナと、第２ミラー４ならびに第３ミラー５を装備して前記第１スキャナの１／２の速度で第１スキャナに追従して移動する第２スキャナとを有している。この第１スキャナならびに第２スキャナによりコンタクトガラス９上の原稿（図示せず）を光学的に走査し、その反射像を色フィルタ６を介してレンズ７に導き、１次元固体撮像素子８上に結像される。
　前記光源３には蛍光灯やハロゲンランプなどが使用されており、波長が安定していて寿命が長いなどの理由から一般に蛍光灯が使用されている。この実施例では１本の光源３に反射鏡１が取付けられているが、２本以上の光源３を使用することもある。前記固体撮像素子８が一定のサンプリングクロックをもっているため、蛍光灯はそれより高い周波数で点灯しないと画像に悪影響を与える。
　前記固体撮像素子８としては、一般にＣＣＤが用いられる。固体撮像素子８で読み取った画像信号はアナログ値であるので、アナログ／デジタル（Ａ／Ｄ）変換され、画像処理基板１０にて種々の画像処理（２値化、階調処理、変倍処理、編集など）が施こされ、スポットの集合としてデジタル信号に変えられる。
　カラーの画情報を得るために本実施例では、原稿から固体撮像素子８に導かれる光路途中に、必要色の情報だけを透過する色フィルタ６が出し入れ可能に配置されている。原稿の走査に合わせて色フィルタ６の出し入れを行ない、その都度多重転写、両面コピーなどの機能を働かせ、多種多様のコピーが作成できるようになっている。
〔書き込み部〕
　画像処理後の画像情報は、光書き込み部においてレーザ光のラスター走査にて光の点の集合の形で感光体ドラム４０上に書き込まれる。
　レーザ光源としては、Ｈｅ−Ｎｅレーザが使用されていた。このＨｅ−Ｎｅレーザの波長は６３３ｎｍで、従来の複写機感光体の感度とよく合うため用いられてきたが、レーザ光源自体が非常に高価であることと、直接に変調ができないため装置が複雑になるなどの問題点を有している。
　近年、感光体の長波長域での高感度化により、安価で直接に変調ができる半導体レーザが使用されるようになった。本実施例においてもこの半導体レーザを使用している。
　第２図は、この書き込み部を示す平面図である。
　半導体レーザ２０から発せられたレーザ光はコリメートレンズ２１で平行な光束に変えられ、アパーチャ３２により一定形状の光束に整形される。整形されたレーザ光は、第１シリンダーレンズ２２により副走査方向に圧縮された形でポリゴンミラー２４に入射する。
　このポリゴンミラー２４は正確な多角形をしており、ポリゴンモータ２５（第２図参照）により一定方向に一定の速度で回転している。この回転速度は、感光体ドラム４０の回転速度と書き込み密度とポリゴンミラー２４の面数によって決定される。
　ポリゴンミラー２４に入射されたレーザ光は、その反射光がミラー２４の回転によって偏向される。偏向されたレーザ光は、ｆθレンズ２６ａ，２６ｂ，２６ｃに順次入射する。ｆθレンズ２６ａ，２６ｂ，２６ｃは角速度−定の走査光を感光体ドラム４０上で等速走査するように変換して、感光体ドラム４０上で最小光点となるように結像し、さらに面倒れ補正機構も有してい。
　ｆθレンズ２６ａ，２６ｂ，２６ｃを通過したレーザ光は、画像域外で同期検知ミラー２９により同期検知センサ３０に導かれ、主走査方向の頭出し信号を出す同期信号が出てから一定時間後に画像データが１ライン分出力され、以下これを繰り返すことにより１つの画像を形成することになる。
〔感光体部〕
　感光体ドラム４０の周面に感光層が形成されている。半導体レーザ（波長７８０ｎｍ）に対して感度のある感光層として有機感光体（ＯＰＣ），α−Ｓｉ，Ｓｅ−Ｔｅなどが知られており、本実施例では前記有機感光体（ＯＰＣ）を使用している。
　一般にレーザ書き込みの場合、画像部に光を当てるネガ／ポジ（Ｎ／Ｐ）プロセスと、地肌部に光を当てるポジ／ポジ（Ｐ／Ｐ）プロセスの２通りがあり、本実施例では前者のＮ／Ｐプロセスを採用している。
　帯電チャージャ４１は感光体側にグリッドを有するスコロトロン方式のもので、感光体ドラム４０の表面を均一に（−）帯電し、画像形成部にレーザ光を照射してその部分の電位を落とす。そうすると感光体ドラム４０の表面の地肌部が−７５０〜−８００Ｖ、画像部が−５００Ｖ程度の電位となって、感光体ドラム４０の表面に静電潜像が形成される。これを現像器４２ａ，４２ｂで現像ローラに−５００〜−６００Ｖのバイアス電圧を与え、（−）に帯電したトナーを付着して前記静電潜像を顕像化する。
〔現像部〕
　本実施例の装置は、主現像器４２ａと副現像器４２ｂの２つの現像器を備えている。黒一色の場合は、前記副現像器４２ｂとトナー補給器４３ｂを取り外すようになっている。現像器を２つ有する本実施例では、主現像器４２ａとペアになるトナー補給器４３ａに黒トナーを入れ、副現像器４２ｂとペアになるトナー補給器４３ｂにカラートナーを入れることにより、１色の現像中には他色の現像器の主極位置を変えるなどして選択的に現像を行う。
　この現像を、スキャナの色フィルタ６の切り換えによる色情報の読み取り、紙搬送系の多重転写、両面複写機能と組み合わせて多機能なカラーコピー、カラー編集が可能となる。３色以上の現像は感光体ドラム４０の周囲に３つ以上の現像器を並べる方法、３つ以上の現像器を回転して切り換えるレボルバー方式などがある。
　現像器４２ａ，４２ｂで顕像化された画像は、感光体ドラム４０にシンクロして送られた紙面上に紙の裏面から転写チャージャ４４により（＋）のチャージをかけられて転写される。転写された紙は、転写チャージャ４４と一体に保持された分離チャージャ４５にて交流除電され、感光体ドラム４０から分離される。
　紙に転写されずに感光体ドラム４０に残ったトナーは、クリーニングブレード４７により感光体ドラム４０からかき落とされ、付属のタンク４８に回収される。さらに感光体ドラム４０に残っている電位のパターンは、除電ランプ４９により光を照射して消去される。
　現像がなされた直後の位置に、フォトセンサ５０が設けられている。このフォトセンサ５０は発光素子と受光素子とのペアからなり、感光体ドラム４０表面の反射濃度を検出している。これは光書き込み部で一定のパターン（例えば真黒または網点のパターン）を、フォトセンサ読み取り位置に対応した位置に書き込み、これを現像した後のパターン部の反射率とパターン部以外の感光体ドラム４０の反射率の比から画像の濃淡を判断し、薄い場合はトナー補給信号を出す。また、補給後も濃度が上がらないことを利用してトナー残量不足を検知することもできる。
〔給紙部〕
　本実施例では複数のカセット６０ａ，６０ｂ，６０ｃを持ち、１度転写した紙を再給紙ループ７２に通し、両面コピーまたは再給紙が可能になっている。
　複数のカセット６０ａ，６０ｂ，６０ｃのうちから１つのカセット６０が選択された後、スタートボタンが押されると、選択されたカセット６０の近傍にある給紙コロ６１（６１ａ，６１ｂ，６１ｃ）が回転し、紙の先端がレジストローラ６２に突き当たるまで急送される。レジストローラ６２はこの時止まっているが、感光体ドラム４０に形成された画像位置とタイミングをとって回転を開始し、感光体ドラム４０の周面に対して紙を送る。その後紙は転写部でトナー像の転写が行われ、分離搬送部６３にて吸引搬送されて、ヒートローラ６４と加圧ローラ６５の対からなる定着ローラによって、転写されたトナー像を紙面上に定着する。
　このようにして転写された紙は通常のコピー時は、切換爪６７によりソータ（ＩＩＩ）側の排紙口へ導かれる。一方、多重コピー時は、切換爪６８，６９により方向を変えられることなく下側の再給紙ループ７２を通過して、再度レジストローラ６２へ導かれる。
　両面コピーの場合は、複写機本体（Ｉ）のみで行う場合と両面反転ユニット（ＩＶ）を使用する場合の２通りがあり、ここでは前者の場合について説明する。切換爪６７で下方に導かれた紙はさらに切換爪６８で下方に導かれ、次の切換爪６９で再給紙ループ７２よりさらに下のトレー７０へ導かれる。そしてローラ７１の反転により逆方向に再度送られ、切換爪６９の切り換えにより再給紙ループ７２へ導かれて、レジストローラ６２に送給される。
〔原稿自動送り装置（ＡＤＦ　ＩＩ）〕
　このＡＤＦは、原稿を１枚ずつコンタクトガラス９上へ導き、コピー後に排出する動作を自動的に行うものである。
　原稿給紙台１００に載置された原稿の積層体は、サイドガイド１０１によって原稿の幅方向が揃えられる。載置された原稿は給紙コロ１０４で１枚ずつ分離して給紙され、搬送ベルト１０２の回転でコンタクトガラス９上の所定位置まで運ばれて、位置決めされる。
　所定枚数のコピーが終了すると、原稿は再度搬送ベルト１０２の回転により排紙トレー１０３へ排紙される。なお、前記サイドガイド１０１の位置と原稿の送り時間をカウントすることにより、原稿サイズの検知を行うことができる。
〔ソータ（ＩＩＩ）〕
　複写機本体（Ｉ）から排紙されたコピー紙を、例えばページ順、ページ毎、あるいは予め設定されたビン１１１ａ〜１１１ｘに選択的に送給する装置である。モータ１１０により回転する複数のローラにより送られるコピー紙が、各ビン１１１の入口付近にある爪の切り換えにより、選択されたビン１１１へ導かれる。
〔両面反転ユニット（ＩＶ）〕
　前述のように複写機本体（Ｉ）は１枚毎の両面コピーしかできないが、この両面反転ユニット（ＩＶ）を付設することにより、まとめて両面コピーをすることが可能である。
　複数枚まとめて両面コピーをとる時、排紙コロ６６で下方に導かれた紙は、次の切り換え爪６７で両面反転ユニット（ＩＶ）へ送られる。両面反転ユニット（ＩＶ）へ入った紙は、排紙ローラ１２０でトレー１２３上に集積される。その際送りローラ１２１、側面揃えガイド１２２によりコピー紙の縦、横が揃えられる。トレー１２３上に集積されたコピー紙は、再給紙コロ１２４により裏面コピー時に再給紙される。この時、切換爪６９により直接再給紙ループ７２へ導かれる。なお、第１図ならびに第２図において、２３は防音ガラス、２７はミラー、２８は防塵ガラス、３１はレンズ保持ユニット、４６は分離爪、８０はメインモータ、８１はファンモータである。
〔電装制御部〕
　第４ａ図、第４ｂ図は、複写機全体のブロック図で、両図は１つのブロック図を分割したもので、一部、中央演算ユニットＣＰＵ（ａ）の部分で重複部分があり、その部分で両図を連結すれば１枚の全体的なブロック図となる。
　複写機の制御ユニットは２つのＣＰＵを有しており、ＣＰＵ（ａ）はシーケンス関係の制御、ＣＰＵ（ｂ）はオペレーション関係の制御をそれぞれ行っている。ＣＰＵ（ａ）とＣＰＵ（ｂ）とは、シリアルインターフェース（ＲＳ２３２Ｃ）によって接続されている。
　まず、シーケンス制御について説明する。シーケンスは紙の搬送のタイミングに関する制御を行っており、紙サイズセンサ、排紙検知やレジスト検知など紙搬送に関するセンサ、両面ユニット、高圧電源ユニット、リレー、ソレノイド、モータなどのドライバ、ソータユニット、レーザユニット、スキャナユニットなどが接続されている。
　センサ関係では、給紙カセットに装着された紙のサイズおよび向きを検知して、検知結果に応じた電気信号を出す紙サイズセンサ、レジスト検知や排紙検知などの紙の搬送に関するセンサ、オイルエンドやトナーエンドなどサプライの有無を検知するセンサ、ならびにドアオープンやヒューズ切れなど機械の異常を検知するセンサなどからの信号が入力される。
　両面ユニットでは、紙の幅を揃えるためのモータ、給紙クラッチ、搬送経路を変更するためのソレノイド、紙有無センサ、紙幅揃えのためのサイドフェンスのホームポジションセンサ、紙の搬送に関するセンサなどがある。
　高圧電源ユニットは、帯電チャージャ、転写チャージャ、分離チャージャ、現像バイアス電極にそれぞれ所定の高圧電力を印加する。
　ドライバー関係は、給紙クラッチ、レジストクラッチ、カウンタ、モータ、トナー補給ソレノイド、パワーリレー、定着ヒータなどがある。
　ソータユニットとはシリアルインターフェースで接続されており、シーケンスからの信号により、所定のタイミングで紙を搬送し、各ビンに排出させている。
　アナログ入力には、定着温度、フォトセンサ入力、レーザーダイオードのモニタ入力、レーザーダイオードの基準電圧が入力されている。定着温度は、定着部にあるサーミスタからの入力により、定着部の温度が一定になるようにオン、オフ制御される。フォトセンサ入力は、所定のタイミングで作られたフォトセンサパターンをフォトトランジスタにより入力し、パターンの濃度を検知することにより、トナー補給のクラッチをオン、オフ制御してトナー濃度の制御を行っている。
　レーザーダイオードのパワーを一定にするために調整する機構として、Ａ／Ｄ変換器とＣＰＵのアナログ入力が使用されている。これは予め設定された基準電圧（この電圧は、レーザーダイオード３ｍＷとなるように設定する。）に、レーザーダイオードを点灯した時のモニタ電圧が一致するように制御されている。
　画像制御回路ではマスキング、トリミング、イレース、フォトセンサパターンなどのタイミング信号を発生し、レーザーダイオードにビデオ信号を送り出している。
　ゲートアレーは、スキャナからの２ビット・パラレルで連送される画像信号をレーザービームスキャナユニットよりの同期信号ＰＭＳＹＮＣに同期させ、さらに画像書き出し信号ＲＧＡＴＥに同期した１ビット・シリアルの信号に変換して、画像制御回路に出力する。
　次にオペレーション関係の制御について説明する。メインＣＰＵは、複数のシリアルポートとカレンダーＩＣを制御する。複数のシリアルポートにはシーケンス制御ＣＰＵの他に、操作部、スキャナ、ファックス、インターフェースユニットなどが接続されている。
　操作部では操作者のキー入力および複写機の状態を表示する表示器を有し、キー入力情報をメインＣＰＵヘシリアル送信し、メインＣＰＵからのシリアル受信により表示器を点灯する。スキャナとは、画像処理および画像読み取りに関する情報をシリアル送信し、ファックス、インターフェースユニットとは予め設定されている情報内容をやりとりする。カレンダＩＣは、日付および時間を記憶しており、この情報に基づいて機械のオン、オフ制御することも可能である。
　第５図は、イメージスキャナ部のブロック図である。ＣＣＤイメージセンサ４０７から出力されるアナログ画像信号は信号処理回路４５１で増幅され、Ａ／Ｄ変換器４５２によってデジタル多値信号に変換される。この信号は、シェーディング補正回路４５３によって補正処理を受け、信号分離回路４５４に印加される。
　信号分離回路４５４に入力される画像情報を処理して、文字などの２値画像成分信号と中間調画像成分信号とに分離する。２値画像成分信号は２値化処理回路４５６に印加され、中間調画像成分信号はディザ処理回路４５５に印加される。２値化処理回路４５６では、入力される多値データを予め設定された固定しきい値によって２値データに変換する。前記ディザ処理回路４５５では、走査位置毎に予め設定されたしきい値によって入力データを判定し、中間調情報を含む２値データを出力する。
　信号合成回路１５７では、２値化処理回路４５６から出力される２値信号とディザ処理回路４５５とから出力される２値信号とを合成して、信号ＤＡＴＡ１と信号ＤＡＴＡ２を出力する。
　スキャナ制御回路４６０はプリンタ制御部からの指示に従ってランプ制御回路４５８、タイミング制御回路４５９、電気変倍回路４６１ならびにスキャナ駆動モータ４６５を制御する。ランプ制御回路４５８は、スキャナ制御回路４６０からの指示に従って露光ランプ４０２のオン、オフおよび光量制御を行う。
　スキャナ駆動モータ４６５の駆動軸にはロータリエンコーダ４６６が連結されており、位置センサ４６２は副走査駆動機構の基準位置を検知する。
　電気変倍回路４６１は、スキャナ制御回路４６０によって設定される主走査側の倍率データに従って、ディザ処理された画像データ、２値化処理された画像データについエ電気変倍処理を行う。
　タイミング制御回路４５９はスキャナ制御回路４６０からの指示に従って各信号を出力する。即ち、読み取りを開始すると、ＣＣＤイメージセンサ４０７に対しては１ライン分のデータをシフトレジスタに転送する転送信号と、シフトレジスタのデータを１ビットずつ出力するシフトクロックパルスとを与える。像再生系制御ユニットに対しては、画素同期クロックパルスＣＬＫ、主走査同期パルスＬＳＮＣおよび主走査有効期間信号ＬＧＡＴＥを出力する。
　この画素同期クロックパルスＣＬＫは、ＣＣＤイメージセンサ４０７に与えるシフトクロックパルスとほぼ同一の信号である。また、主走査同期パルスＬＳＹＮＣは、画像書込ユニットのビームセンサが出力する主走査同期信号ＰＭＳＹＮＣとほぼ同一の信号であるが、画像読み取りを行っていない時は出力が禁止される。主走査有効期間信号ＬＧＡＴＥは、出力データＤＡＴＡ１およびＤＡＴＡ２が有効なデータであるとみなされるタイミングで高レベルＨになる。
　なお、この例ではＣＣＤイメージセンサ４０７は、１ライン当たり４８００ビットの有効データを出力する。また、出力データＤＡＴＡ１は奇数番目の各画素のデータであり、出力データＤＡＴＡ２は偶数番目の各画素のデータである。
　スキャナ制御回路４６０はプリンタ制御部から読取開始指示を受けると、露光ランプ４０２を点灯し、スキャナ駆動モータ４６５を駆動開始して、タイミング制御回路４５９を制御し、ＣＣＤイメージセンサの読取りを開始する。また、副走査有効期間信号ＦＧＡＴＥを高レベルＨにセットする。この信号ＦＧＡＴＥは、高レベルＨにセットされてから副走査方向に最大読取り長さ（この例では、Ａサイズ長手方向の寸法）を走査するに要する時間を経過すると低レベルＬとなる。
　第６図は、ファックス部のブロック図である。同図に示すようにファックス部は、メインボード、ＳＡＦユニット、ＦＣＵユニット、仕向け先によって変更できるネットワークコントロールユニット（ＮＣＵ）、通信回路ならびに電話機などから構成されている。
　このシステムは、メモリ送受信が基本となっている。そのため送信時には、原稿情報を一度ＳＡＦメモリへ蓄積してから送信する。また受信時もＳＡＦメモリに蓄積してから、プリンタがいているときに出力するようになっている。なお、複写モードとファックスモードの切り換えついては後で詳細に説明する。
　第７図は、電源部のブロック図である。電源コード８０からのＡＣ１００Ｖは、メインスイッチ（ＳＷ２）またはサブスイッチ（ＳＷ１）を通して、メイン電源ユニットやスキャナ電源ユニットに供給される。前記メイン電源ユニットは、メイン制御板、ソーター制御板ならびにファックス制御板などにＤＣ電源を供給している。一方、前記スキャナ電源ユニットは、スキャナ制御部、ＡＤＦ制御部ならびに操作部などにＤＣ電源を供給している。
　第８図ならびに第９図は、複合装置の前面から視た部品配置図ならびに後面から視た部品配置図である。第８図において８２は操作部、８３はパワーリレー、８４はヒータ、搬送ファン、モータなどのＳＳＲ、８５はリレーユニット、８６はセーフティスイッチ、８７はドアスイッチ、８８はトータルカウンタ、８９はファックス受信カウンタ、９０は通信回路板、９１は受話器、ＳＷ２はメインスイッチである。同図に示すように、メインスイッチＳＷ２は、通常の複写機と同じように装置の前面側に設けられている。
　第９図において、９２はメイン制御板、９３はノイズフィルタ、９４はサーキットブレーカ、９５はクリーニング用パワーパック、９６はバイアスローラパワーパック、９７はブレードソレノイド、９８は帯電・バイアスパワーパック、９９はトナー補給ソレノイド、１０５はレジスト検知器、１０６はカラー検知器、１０７は手差し検知器、１０８はネットワークコントロールユニット、１０９は第１給紙マイクロクラッチ、１１２はペーパエンド検知器、１１３は第２給紙マイクロクラッチ、１１４は第３中継マイクロクラッチ、１１５はレジストマイクロクラッチ、１１６は給紙制御板、１１７はモデム、１１８はファックスインターフェース板、ＳＷ１はサブスイッチである。同図に示すように、このサブスイッチＳＷ１は、前記メインスイッチＳＷ２とは別の位置、すなわち複合装置の後面に設けられている。
　第１０図は電源供給回路図、第１１図はＤＣ電源回路図である。第１０図に示すように、サブスイッチＳＷ１またはメインスイッチＳＷ２のいずれかのスイッチＳＷがオンになっていれば、本体側にＡＣ電源が供給される。メインスイッチＳＷ２には、このスイッチＳＷ２がオンであるかオフであるかを検出するために、ＡＣ１，ＡＣ２が設けられてψる。このＡＣ１，ＡＣ２はＤＣ電源回路の中で、第１１図に示されているような回路が組み込まれている。
　従ってメインスイッチＳＷ２がオフの場合、ＡＣが供給され、フォトカプラーがオンとなり、ＣＰＵの入力はロー「Ｌ」となる。一方、メインスイッチＳＷ２がオンの場合、フォトカプラーがオフとなり、ＣＰＵの入力はハイ「Ｈ」となる。
　次に、このメインスイッチＳＷ２とサブスイッチＳＷ１の使用方法について説明する。
（Ａ）．ファックス機能を使用しないで、複写機単体として使用する場合
　この場合は、サブスイッチＳＷ１をオフし、メインスイッチＳＷ２で１００Ｖの電源を供給して、通常の複写機として使用する。
（Ｂ）．ファックスと複写機の複合装置として使用する場合
　ａ．サブスイッチＳＷ１がオン、メインスイッチＳＷ２がオフの状態
　各システムにソフトリセット信号を送り、これを受信した各ＣＰＵは、ＲＡＭクリヤー、ポートオフなどを行い、パワーオンリセットと同じ状態にある（但し、ファックスＣＰＵは、この信号によってリセットは行われない）。このときシーケンスＣＰＵ側に接続されているメインリレーも当然オフとなり、装置内のＡＣ系は全てオフとなる。
　しかし、第７図から明らかなように、メイン用電源ユニットならびにスキャナ用電源ユニットにはＡＣ１００Ｖがそれぞれ供給されるため、各ＣＰＵにはＤＣ電源が供給されている。この状態は、例えば夜間で複写機としては使用しないためスインスイッチＳＷ２をオフし、ファックスの夜間受信モードとなっている状態である。
　このとき、サブスイッチＳＷ１をオフすると、メインスイッチＳＷ２をオフした時点で装置本体へＡＣ１００Ｖが供給されなくなり、電源ユニットも全てオフとなるから、ファックスの夜間受信はできなくなる。従って、サブスイッチＳＷ１がなくメインスイッチＳＷ２だけだと、夜間でも常にメインスイッチＳＷ２をオンしていなければ（当然、この状態ではパワーリレーもオンとなり、ＡＣファン、予熱ヒータなどもオンになっており、消費電力が嵩んでしまう）、夜間受信ができなくなる。
　この点本発明のように、メインスイッチＳＷ２とサブスイッチＳＷ１とを別々に設けて、複写機を使用しない夜間にはサブスイッチＳＷ１がオン、メインスイッチＳＷ２がオフという状態をつくることによって、スキャナ、シーケンス、操作部の各出力ポートならびにパワーリレー７は全てオフすることができるから、かなりの節電となる。また、ファックス制御部にはＤＣ電源（５Ｖ，±１２Ｖ）が供給されるから、ファックスは受信モードとなっている。
　ｂ．サブスイッチＳＷ１がオン、メインスイッチＳＷ２がオンの状態
　メインスイッチＳＷ２をオフからオンにすることにより、各ＣＰＵにプログラムスタート信号が送られ、各ＣＰＵが動作を開始する。
　複写機を使用しているとき、コピー異常（例えばペーパージャムやサービスマンコールなどの異常）が発生した際、これをリセットするために通常、メインスイッチＳＷ２をオフ→オンする。ファクシミリ装置との複合装置の場合も同様のスイッチの切り換えが行われる。この際サブスイッチＳＷ１がないと、受信中あるいは送信中のファックスデータが全てクリアーされてしまう。しかしこのとき、サブスイッチＳＷ１をオンにしていると、メインスイッチＳＷ２をオフ→オンにしても、ファックスの送受信には影響しない。
　第１２図は、キーによるファックスとコピーのモード選択のフローチャートである。ファックスモードとコピーモードを選択するために、キーが１つ設けられている。このキーが押されると、ブザーが鳴り、すでにファックスモードの場合はファックスモードをオフし、ユーザーセレクトフラグをオフして、ファックスモードへ入る前のコピー状態に戻す。
　キーが押されたとき、コピーモードの場合は、ファックスモードをオンにし、ユーザセレクトモードをオンとし、ＡＤＦの戻し表示があった場合はオフ、ＡＤＦ使用時で原稿台に紙があった場合はフィードアウトし、そのときのコピーモードをセーブしてファックスモードへ移る。このとき、コピー用の入力面とファックス用の入力面がスライド式に変更できるコピー／ファックス表示パネル切換用のパッド（これについては後述する）の確認を行い、パッドがコピーになっているきは例えば「ファックス　ノ　パネル　ニ　シテクダサイ」などの警告表示を出す。
　第１３図は、パッドによるファックスとコピーのモード選択のフローチャートである。パッドをファックスモードからコピーモードに変えた場合、すでにコピーモードだとそのままリターン、ファックスモードだとファックスモードをオフにして、ユーザーセレクトフラグをオフにし、コピーモードをセットして、コピー状態へ戻す。
　パッドをコピーモードからファックスモードに変えた場合、すでにファックスモードだと警告表示をオフし、ユーザーセレクトをオンとする。コピーモードだと、ファックスモードをオンとし、ユーザセレクトをオンとし、ＡＤＦの処理を行い、コピーモードをセーブしてファックスモードへ移る。
　第１４図は、コピーとファックスのモードリセットのフローチャートである。コピーとファックスのデフォルトは、ユーザーの希望に合わせてディップスイッチ等で切り換えることができ、オートリセット時は、このディップスイッチによりモードが決定される。
　装置が一定時間（例えば１分間）以上操作されないと、オートリセットがかかる。
　イニシャル時にコピーモードだとコピーモードとなり、イニシャル時にファックスモードだとファックスモードとなる。ユーザーセレクトによってファックスモードになっているときは、コピーモードをセットするが、ユーザーセレクトでない場合は、コピーモードはイニシャル状態に戻す。
　このファックス／コピー切換スイッチまたはパッドによる切り換えは、キーカウンター（例えばキーカード）がない状態でも行うことができる。これはキーカウンターはあくまでもコピーのカウンターであり、ファックスを送信することには何ら関係がないためである。
　第１５図は、キーカウンター表示のフローチャートである。キーカウンターがオンになっているとき、もしくはキーカウンターがオフでもファックスモードへ移行したときは、キーカウンタ表示はオフとする。
　第１６図は、カウンター制御のフローチャートである。複写機にはトータルカウンター以外の特定の用紙をカウントするカウンターが設けられている。ファックスがオンラインになっている場合、コピーフィード信号がくると、ファックスモードならばカウンターをカウントアップさせ、コピーモードならばカウントアップさせない。
　ファックスがオンラインになっていない場合は、コピー用のカウンターとして用い（この場合はＡ３カウンター）、Ａ３の用紙サイズの紙をフィードした時にカウントアップさせる。この場合はＡ３カウンターで例を示したが、ジャムカウンターなどのカウンターとして用いてもよい。
　このことにより、トータルカウンターで全体の通紙枚数がカウントされ、ファックスカウンターでファックスでの通紙枚数を知ることができ、ユーザーに対するサービス上非常に有効なものとなる。
　また、ここではファックス時の通紙枚数をカウントするようにしているが、ファックスをつないだ時は、コピーの通紙枚数のみをカウントするというようなことも、同じ原理である。
　第１７図は、ソーター制御のフローチャートである。複写機のソーターには、通常排出するトレイと、モード異常や割込みなどの時排出される割り込みトレイとがある。ファックスモード時はプリントされた紙は、複写機で通常使用するトレイに出さず、割り込みトレイに排出する。このことにより、ファックスで送られてきた紙を、コピーする人が持ち去るような不都合がなくなる。
　また、ソー夕ーを使用しない場合は２ビンの排出トレイを設け、１つは複写機専用トレイ、１つはファックス専用トレイとし、各モードによってトレイを使い分ける。この２ビントレイを用いることにより、ファックスでプリントアウトされた用紙とコピーでプリントアウトされた用紙とを分けることができる。
　第１８図は、コピーモード時におけるファックス受信の制御のフローチャートである。コピーモード時にファックスの受信が終了するとファックスからプリントリクエスト信号が送られてくる。プリンターがレディ状態になっており、なおかつ一定時間（例えば３０秒間）以上操作されていないと、プリントオーケー信号を出力し、ファックスモードへ自動的に移行する。プリンターが出ない状態またはレディでも一定時間経過していない場合は、プリントＮＧ信号を出力する。
　つまり、プリンターがレディでない状態、例えばドアオープン、ジャム、サービスマンコールなどと、コピー操作を続けて行なう可能性のある期間は、ファックスモードへ移行させない。このことにより、ファックスのプリントアウトは装置の空いた時間帯のみに行うため、複写機としてのダウンタイムを非常に短くすることができる。
　また、このプリント出力中にオペレーターによる操作があると、ユーザーセレクトフラグをオンさせる。
　第１９図は、予熱モード中のファックス受信の制御を示すフローチャートである。予熱モード中にファックスの受信が終了すると、ファックスからプリントリクエスト信号が送られてくる。このとき、プリンターはレディ状態にあり、なおかつコピーとして使用していない状況なので、すぐにファックスモードへ自動的に切換わる。この際プリントオーケーを出力し、予熱フラグをオンとする。また、このプリント出力中に、オペレーターによる操作があると予熱フラグをオフし、ユーザーセレクトフラグをオンとする。
　第２０図は、ファックスプリント終了時のフローチャートである。ファックスに受信されたデータが全て出力されると、最終紙の排出時にファックスプリント終了が送られてくる。このとき、ユーザーセレクトモードがオン（ユーザーの意志によりファックスモードにしてオンとする）となっていれば、そのままファックスモードを続け、モードリセット（第１４図）か、ファックス／コピー切換スイッチ又はパッドが操作されるまでコピーモードへ移らない。
　ユーザーセレクトモードオフ時は、ファックスモードをオフとし、予熱フラグがオンであれば予熱モード、オフであればコピーモードへ復帰する。
　ファックスからのプリントリクエストがあればキーカウンターがない状態でもファックスモードへ移行し、プリントアウトすることができる。これはキーカウンターはあくまでもコピーカウンターであり、ファックスプリントとすることには何ら関係がないためである。
　また、キーカウンターでコピー枚数を管理していても、トータルカウンターとファックスカウンターがあるため、間違えることはない。ファックスモードへ移行した時は、キーカウンター表示はオフする。
　これらのシステムは全てシリアルインターフェースで結ばれており、各システムヘはイニシャルセット→プログラムスタートという順で信号が送られプログラムスタートを各システム（シーケンス、操作部、スキャナ、ファックス）が受けた時点で、通常の動作を行う。イニシャルセット信号だけだと、各システムはイニシャル状態（ＲＡＭクリアー、アウトポートオフなど）で待機している。
　第２１図は、電源制御方式を示すフローチャートで、このフローはメインルーチンの１個所に組み込まれている。まず、タイマーが一定時間経過したかどうかをチェックする。これは、リセット時各システムがイニシャルセットを終える時間をとるためである。
　次に、メインステッチＳＷ２オンフラグをチェックする。このフラグがオンだとメインスイッチＳＷ２がオンかどうかをチェックする（すなわち、ＡＣ検知をチェックする）。メインスイッチＳＷ２がオンだとそのままリターン、メインスイッチＳＷ２がオフだと１００ｍｓｅｃ後にもう一度チェックする（これはノイズによる誤動作を防ぐために一定時間をおいている）。オンだとリターン、オフだとフラグをオフとし、各システムにイニシャルセット信号をアウトする。
　各システムはこの信号を受けると、ＲＡＭをクリアーし、すべてのポートをオフとし、擬似的に電源オフの状態をつくる。このとき当然、シーケンスもイニシャライズされ、リレーがオフされるため、装置内にＡＣが供給されることはない。この状態はメインスイッチＳＷ２がオンされるまで続く。
　メインスイッチＳＷ２オンフラグがオフだと、メインスイッチＳＷ２がオンかどうかチェックする。オフだとリターンし、オンだと１００ｍｓｅｃ後にもう一度チェックする。オフだとリターンし、オンだとフラグをオンとし、各システムにプログラムスタート信号をアウトする。この信号を受けると各システムは動作を開始する。
　スイッチＳＷ１，２の使用方法については、ファックス機能を使用しないで複写機単体として用いる場合、サブスイッチＳＷ１が常にオフ、メインスイッチＳＷ２をオン、オフさせる。一方、複写機−ファックス複合装置として使用する場合は、サブスイッチＳＷ１を常にオンとし、メインスイッチＳＷ２を擬似的なメインスイッチとして用いる。これは通常、複写機が動作される時間帯は例えば、午前８時から午後８時程度であり、この間はメインスイッチＳＷ２がオンされ、その他の時間帯ではメインスイッチＳＷ２はオフとなっている。しかし、ファックスは２４時間常に受信可能な状態である必要がある。
　従って、サブスイッチＳＷ１を常にオン状態にすることにより、ＤＣ電源は常に動作していることになる。このＤＣ電源はファックスに供給されているため、メインスイッチＳＷ２が切られた状態でもファックスは動作し、受信可能となる。
　また、この状態のときに、ファックスが受信完了し、プリントリクエスト信号が来ると、システムを立ち上げ（プログラムスタート信号を出す）プリントアウトさせる。この場合システムを立ち上げているが、プリンターだけ立ち上げても良い。
　プリントアウト終了後、再びイニシャルセット信号を出して、システムをオフ状態とする。イニシャルセット信号がファックスに入った場合は、ファックスは電源オフの検知を行っているだけで、ＲＡＭクリアー、ポートオフなどの動作は行わない。
　第２２図は、ファックスプリントのフローチャートである。
　第２３図はファックス機能を使用しない複写機単体として用いる場合の操作パネルの平面図、第２４図はファックス機能を兼備した複合装置として用いる場合の操作パネルの平面図である。
　この第２３図において、３０１はソーターを使用するときに押すソーターキー、３０２は両面コピーするときに押す両面キー、３０３は見開き原稿を自動的に片面ずつコピーするとき、あるいは両面原稿を自動的に片面ずつコピーするときに押すページ連写キー、３０４は操作方法についての説明と装置の動作状態を表示する液晶表示部、３０５はコピー全面を中抜きするときに押す全面加工中抜きキー、３０６はコピー全面の黒い部分と白い部分を反転するときに押す全面加工白黒反転キー、３０７はラインマーカーで指定した範囲外を消去するときに押すマーカーエリア加工外消去キー、３０８はラインマーカーで指定した範囲内を消去するときに押すマーカーエリア加工内消去キー、３０９はラインマーカーで指定した範囲内を中抜きするときに押すマーカーエリア加工中抜きキー、３１０はラインマーカーで指定した範囲内の白い部分と黒い部分とを反転するときに押すマーカーエリア加工白黒反転キーである。
　３１１は例えばＡ５，Ｂ６サイズなどの小さな原稿を倍のサイズの用紙に同時に２枚コピーするときに押すダブルコピーキー、３１多は指定された用紙サイズと原稿サイズに見合った倍率でコピーするときに押す用紙指定変倍キー、３１３は原稿の縦、横の寸法を指定するときに押す独立寸法変倍キー：原稿、３１４はコピーの縦、横の寸法を指定するときに押す独立寸法変倍キー：コピー、３１５はコピーの縦、横の倍率を指定するときに押す独立変倍キー、３１６はコピー倍率を１％きざみで指定するときに押すズーム変倍キーである。
　３１７はコピー／ファックス切換レバーで、図に示すようにレバー３１７がコピー側に切り換わっていると、前述のようなマーカーエリア加工や独立変倍などの編集コピー可能となる。また、第２５図に示すようにレバー３１７がファックス側に切換わっていると、後述するようなファックスの各機能のキー操作が可能となる。
　図中の３１８はセット枚数表示部、３１９はコピー枚数表示部、３２０は縮小キー、３２１は拡大キー、３２２は等倍キー、３２３は用紙選択キー、３２４は自動用紙選択キー、３２５は原稿種類キー、３２６は濃度調整キー、３２７は自動濃度キー、３２８は取外し可能な上蓋（シール）で、複写機としてのみ使用する場合は、この上蓋３２８が取付けられている。
　図中の３２９は割込みキー、３３０はプログラムを記憶させるときや呼び出すときに押すプログラムキー、３３１は予熱・モードクリアキー、３３３は独立変倍モード、独立寸法変倍モード時のデータおよび液晶表示部３０４の質問に対して応えるときに押す＃キー、３３４はスタートキーである。
　前述のコピー／ファックス切換レバー３１７がファックス側に切換わると第２４図に示すように、その切換え動作に伴って操作パネル上の一部が自動的に変更される。図中の３３５はワンタッチダイヤルの宛先登録などを行うときに押すマルチモードキー、３３６は電話：手動受信にするときに押す電話モードキー、３３７は送信先がミニファックス１のときに押すミニファックス１キー、３３８は原稿の文字が普通の大きさ以上のときに押す普通字キー、３３９は原稿の文字が小さいときに押す小文字キー、３４０は送信を開始するときに押す送信キー、３４１はワンタッチに電話番号を登録するとき、あるいはワンタッチで発信するときに押すワンタッチダイヤルキーである。
　また複合装置として使用する場合、第２３図に示す上蓋（シール）３２８をそれぞれ取外す。そうすると上蓋（シール）３２８の下には第２４図に示すように、複合装置として必要な短縮キー３４２、ポーズキー３４３、ＮＯ．キー３４４ならびにコピー／ファックス切換スイッチ３４５などが配置されている。
　第２５図ないし第２７図は、コピー／ファックス切換レバー３１７の切換えに伴う操作パネル表示の切換機構（パッド）を説明するための図である。これらの図に示すように、四角形の枠体３４６の内側底部には、コピー表示パネル３４７が固定されている。このコピー表示パネル３４７の上方には、ファックス表示パネル３４８がスライド可能に配置されている。
　前記コピー表示パネル３４７には第２３図に示すように、全面加工用のキー３０５，３０６、マーカーエリア加工用キー３０７〜３１０、ダブルコピーキー３１１、用紙指定変倍キー３１２、独立寸法変倍用キー３１３，３１４、独立変倍キー３１５ならびにズーム変倍キー３１６など複写機として必要なキーが設置されている。
　一方、前記ファックス表示パネル３４８には第２４図に示すように、マルチモードキー３３５、電話モードキー３３６、ミニファックス１キー３３７、普通字キー３３８、小字キー３３９、送信キー３４０ならびにワンタッチダイヤルキー３４１などのファックスとして必要なキーが設置されている。
　このファックス表示パネル３４８の後端には、フィラ３４９が一体に設けられている。また、ファックス表示パネル３４８の前端には、コピー表示パネル３４７に邪魔にならないように切換レバー３１７が連結されており、切換レバー３１７は支軸３５０に支えられた回動レバー３５１の上端に連結されている。また前記フィラ３４９と対向する位置には、透過式のフォトセンサ３５１が設けられており、図中の３５２はパネルカバーである。
　第２５図は複写機として用いる場合を示しており、切換レバー３１７はコピー側に倒れて、枠体３４６内にコピー表示パネル３４７が露出して、それに設けられている各種キーの操作が可能となっている。この状態では、ファックス表示パネル３４８はカバー３５２の下方に隠れている。この切換レバー３１７をファックス側（図面に向かって左側）に移動することにより、それに伴ってファックス表示パネル３４８が一緒にカバー３５２の下から引き出される。
　第２６図はファックス表示パネル３４８が引き出されている途中の状態を示している。第２７図はファックス表示パネル３４８が枠体３４６内にセットされた状態を示しており、フィラ３４９がフォトセンサ３５１内に挿入されることで、セット状態を検知するセット信号がフォトセンサ３５１から出力される。
　第２８図は、表示パネル部の制御ブロック図である。図中の３５１は第３２図〜第３４図に示すフォトセンサ、３５３は操作部キーマトリックス、３５４は操作部ＬＥＤマトリックス、３５５は表示部マイクロプロセッサ、３５６はラッチ、３５７はデコーダ、３５８は制御プログラムならびに固定表示データをストアするＲＯＭ、３５９は任意表示データをストアするＲＡＭ、３６０はＬＣＤコントローラ、３６１は画面表示データをストアさせるＲＡＭ、３６２はＬＣＤユニットである。
　この操作部は１つのユニットとして取り扱い、複写機コントローラとの間はシリアルインターフェースで接続されて、データのやりとりが行われる。表示部マイクロプロセッサ３５５により入力キーの状態、チェックおよびＬＥＤ，ＬＣＤの表示内容を複写機コントローラとのデータ通信を行いながら制御する。
　ＬＣＤはフルドットで構成され、専用のＬＣＤコントローラ３６０によりＲＡＭ３６１にストアされたデータが表示される。ＬＣＤ表示データとして、固定キャラクタデータがＲＯＭ３５８にストアされており、これらは複写機コントローうから送られてくるＡｓｃｉｉコードに対応してＲＡＭ３６１にストアされる。また各システム構成により必要となる任意の表示データは、ＲＡＭ３５９内にストアされてから表示される。
　前記操作部キーマトリックス３５３内に、操作部の各キーの入力、ディップスイッチの入力、ならびに第２５図に示す切換レバー３１７に連結されたデジタイザからの入力が含まれている。
　第３０図は送信画像信号の流れを示すフローチャート、第３１図は受信画像信号の流れを示すフローチャートである。これらの図において３は前述した光源、２４はポリゴンミラー、４０は感光体ドラムである。
　第３２図は、ファックスインターフェース板内での信号の流れを示すブロック図である。
　このファックスインターフェース板では、下記のような制御、処理を行っている。ＣＰＵとしては、８０８５Ａ×２を使用しており、画像処理用のフレームメモリ０．７８ＭＢならびにＳＡＦメモリ１ＭＢを有している。
（１）ファックス機能のシステムシーケンスコントロール
（２）プロトコルシーケンスコントロール
（３）画情報の処理
　▲１▼スキャナ部よりビデオ信号の画信号化（２ビットシリアル信号→８ビットパラレル信号）
　▲２▼データ圧縮、再生（ＭＨ，ＭＲ，ＥＦＣ）
　▲３▼縮小（Ｂ４サイズ→Ａ４サイズ）
　▲４▼ＳＡＦメモリヘのデータの入出力、ならびに入出力時の圧縮、再生（ＭＨ、生データ）
（４）マルチモード、内部スイッチによる機能選択、ならびにコードの選定
（５）ネットワークコントロールユニットの制御
　次に、この図を用いてデータの送受信時の信号の流れについて説明する。
（１）スキャナ部から回線にデータを送る場合
　▲１▼スキャナ部からのビデオ信号（２ビットシリアル信号）を、８ビットパラレル信号に変換した後、２５６ＫのＤＲＡＭで構成されているフレームメモリに収納する。
　▲２▼ファックスでは、送信密度が７．７本／ｍｍ、３．８５本／ｍｍであるから、スキャナで５０％収縮し、さらに密度変換してメモリに収納する。
　▲３▼画像処理のゲートアレイではＡ３サイズ→Ｂ４サイズ、Ｂ４サイズ→Ａ４サイズの変換しかできず、ファックスとして相手先に送るときは、Ａ４サイズまで縮小する場合があるので、本実施例ではＡ３サイズの原稿時は、ビデオ信号を８４．６％変倍してＢ４サイズにし、その後フレームメモリに収納するようになっている。
　▲４▼その後、ＦＣＰ１にフレームメモリから順次データを取り出し、シリアルポートを介してＦＣＰ２にデータを送る。
　▲５▼このとき原稿がＢ４サイズで送信先きのファックス紙がＡ４サイズのときは、ＦＣＰ２で８４％縮小し、１フレームデータをワークＲＡＭに格納する。
　▲６▼１フレームに対するデータ圧縮は、ＦＣＰ２とワークＲＡＭ２との間で行い、その結果をＩＯＰ２を通してモデム（ＭＯＤＥＭ）に送り、変調したデータをネットワークコントロールユニット（ＮＣＵ）を介して回線に送り出す。
（２）同報などでメモリに蓄えた後、送信するとき
　▲１▼スキャナ部からのビデオ信号を一時フレームメモリに格納し、その後ＦＣＰ１を介して１フレームのデータをワークＲＡＭ１に記憶する。そしてＦＣＰ１、ワークＲＡＭ１間でデータ圧縮して、その結果をＳＡＦメモリに収納する。
　▲２▼ＳＡＦメモリから送信するときは、ＳＡＦメモリ内の圧縮データを読み出し、ＦＣＰ１とワークＲＡＭ間でデータ伸長して元のデータに直した後、シリアルでＦＣＰ２に送り、前記（２）と同様の処理で回線ヘデータを送り出す。
（３）回線からのデータをメイン制御板に送るとき
　▲１▼回線からの信号をネットワークコントロールユニット（ＮＣＵ）を介してモデム（ＭＯＤＥＭ）に入れ、復調し、ＩＯＰ２を介してＦＣＰ２に送る。
　▲２▼ＦＣＰ２では圧縮して送られてきた信号を伸長し、元のデータに戻してＦＣＰ１に送る。
　▲３▼ＦＣＰ１では再度データを圧縮して、ＳＡＦメモリに格納する。なお、前述の再度圧縮は、ファックス機種などによって圧縮方法が異なるので、ＳＡＦメモリに格納する際には、最も効率の良い方法を採用するために、データを元に戻して再度圧縮している。
　▲４▼一連の受信が終了すると、ＳＡＦメモリ内の圧縮データをＦＣＰ１で伸長して、フレームメモリに移す。
　▲５▼１ページ分移すとメインＣＰＵにプリントコマンドを送り、プリントアウトの用意をする。
　▲６▼イマジオ３２０ＦのＬＳＹＮＣ，ＬＧＡＴＥ，ＦＧＡＴＥ，ＷＣＬＫなどに同期させてデータを送り出す。
　▲７▼このとき、フレームメモリは７．７本／ｍｍのデータであるので、２倍（１６本／ｍｍ）に拡大し、さらにパラレル信号をシリアル信号に変換（Ｐ→Ｓ変換）して送り出す。
　コピーモードからファックスモードに移る場合、次のような各種のケースがある。
（１）オペレータがファックスを使用して送信したい場合
　（ａ）コピー／ファックス切換レバー３１７によるファックスモードヘの切換え。
　オペレータが、コピー／ファックス切換レバー３１７を操作し、ファックス表示パネルを引き出して、モード切換えを行うケース。
　（ｂ）コピー／ファックス切換スイッチ３４５によるファックスモードヘの切換え。
　　この場合、次の２通りがある。
　▲１▼．表示パネルがファックス表示パネル３４８になっていない場合。この場合は送信に必要な設定（例えば普通文字、小文字、マルチモードなど）ができないため、液晶表示部３０４に「ファックス　ノ　パネル　ニシテクダサイ」と表示する。
　▲２▼．表示パネルがファックス表示パネル３４８になっている場合。この場合は、問題はない。
　このとき原稿台上に原稿がある場合は、自動原稿送り装置（ＡＤＦ）を使用している場合は原稿を排出し、圧板モードの原稿がある場合には警告表示をする。これは、
　ａ．誤操作による誤ファックス防止（原稿を入れたつもりになって、ファックス用の電話番号を入力し、その後にスキャナーをスタートさせると、間違った原稿が送られてしまう）と、
　ｂ．原稿の忘れ防止と、
　ｃ．ファックス原稿はほとんどの場合、ＡＤＦを使用して送るため、コピー時に圧板モードでとった原稿が残っている場合、ファックス原稿をＡＤＦで送ると、両原稿を損傷してしまうからである。
　なお、原稿の有無の検知は、本実施例ではＣＣＤの入力で行っているのではなく、
１．原稿サイズを検知するためのプレスキャンを行うためにプリントスイッチを押したとき、
２．コピーを行うためにプリントスイッチを押したとき、
３．ファックス時に原稿を送るためにスタートスイッチ（プリントスイッチ）を押したとき、
　に圧板下に原稿が有ると判断し、ＡＤＦのリフトアップにて圧板下に原稿が無いとしている。
（２）ファックス制御板が受信を完了して、プリントアウトする場合。
　この場合、プリントアウトのためにファックスモードに移すから、ファックスのプリントが終了すると、即座に元のモードに戻すことになる。
　（ａ）待機モード（３０秒以上操作されない）→ファックスモード（プリントアウト）→待機モード
　（ｂ）予熱モード→ファックスモード（プリントアウト）→予熱モード
　（ｃ）メインスイッチオフモード→ファックスモード（プリントアウト）→メインスイッチオフモード
　通常、コピーとして使用する場合は、操作部からの入力モード、表示を行い、スキャナで読み取った画像データをメイン制御板を通してＬＤに信号として与え、メインＣＰＵの制御によってコピーを行っている。このときファックス部はコピー動作に対し、何ら影響を与えない。しかし、ファックス制御（システム制御、プロトコルならびに画像処理など）は独立して動作できるため、電話回線からデータが送られてきた場合、コピー中でも受信することができ、その受信データをフレームメモリ内に収納する。この受信データは、コピーが一定時間以上（本実施例では３０秒以上）操作されなかった場合、ファックス制御板からメイン制御板に出力され、受信データがプリントアウトされる。
　第２９図は、ファックスインターフェースからプリントアウトするときの、画像データの入をスキャナからファックスインターフェースボードに変える回路図である。
　これはファックスインターフェースよりプリントスタート信号が送られたとき、ＦＰＲ１信号をオンし、シーケンス制御ＣＰＵよりプリントストップ信号を受けたときオフするようになっている。
　前述のコピー／ファックス切換レバーまたはコピー／ファックス切換スイッチにより、操作部がファックスモードに切換えられた場合、操作部、スキャナ部、プロッター部の中のシーケンス制御はファックス部によって行われる。このときのメイン制御ＣＰＵは、
　▲１▼．コピーモードからファックスモードヘの切換時におけるファックスイニシャル表示の設定（操作部）、
　▲２▼．システム全体の異常チェック（シリアルエラー、サービスマンコールなど）
　▲３▼．ファックス受信時にファックスインターフェースからの画像データをメイン制御内に入れて、プリントアウトするように画像データ入力の切換え、
　などを行っている。操作部、スキャナ部、シーケンス部からのシリアルデータは、すべてメイン制御ＣＰＵを通してファックスのシステム制御用ＣＰＵに与えられる。
　このように、コピーモードでのメイン制御は、全くファックス制御とは関係がないため、操作部でのコピー／ファックス切換レバー３１７ならびにコピー／ファックス切換スイッチ３４５を外し、ファックス制御ユニット（第８図、第９図に示す通信回路板９０、受話器９１、ネットワークコンロールユニット１０８、モデム１１７、ファックスインターフェース板１１８など）を外すことにより、コピー単機能となる。コピー単機能をユーザーに納入して、その後にユーザーから、ファックス機能を追加したい旨の要求があった場合、切換レバー３１７、切換スイッチ３４５ならびにファックス制御ユニットを追加するだけで、コピーとファックスの複合装置にすることができる。
　次に、ファックス専用のカウンタについて説明する。コピーとファックスの複合装置として用いる場合に、第８図に示される位置にファックス受信カウンタ８９が設けられる。
　ファックスを受信して出力されたコピーは、その装置を所有しているユーザーの必要、不必要に関係なく出力される。そのため、コピーカウンターのみしか設けられていなければ、ユーザーがコピー１枚に対していくらかの料金を支払うシステム（パフォーマンスチャージ制）を選択したとき、ファックスの受信枚数分が通常のコピー枚数に加算されてしまい、不都合が生じる。特にキーカウンター（キーカードを含む）を使用して各部門毎にコピー枚数を集計する場合は、ファックス受信カウンター８９がないとファックスのプリントアウト分だけ集計が合わなくなり、そのために混乱を生じる。
　このような理由から、トータルカウンタ８８より別にファックス受信カウンタ８９を設けると、前述のような不都合が解消される。
　以上のべたように本発明は次のような様々な特徴点があげられる。
（１）複写機−ファックス複合装置において、コピーモードで一定時間操作が行われないときにファックスが受信を終了するとファックスのプリントアウトを行う。また、プリントアウト中に操作が行われない場合、プリント終了時にコピーモードへ移るようにする。
（２）予熱中に、ファックスが受信終了すると、ファックスモードとなり、プリントアウトを行うようにする。また、プリントアウト中に操作が行われない場合、プリント終了時に予熱モードへ移るようにする。
（３）キーカウンター（キーカードなど）がセットされていない状態でもファックスモードへ移り、プリントアウトを行うことができる。そして、ファックスモードへ移行時はキーカウンター表示は消す。
（４）ソー夕ーを使用している装置では、ファックスモードでプリントされた用紙は割り込みトレイに排出される。使用されるトレイは、コピーモードでは割り込み時に使用される。
　ソー夕ーが２ビンだと、２ビンの一方はコピー専用トレイ、他方はファックス専用トレイとする。
（５）トータルカウンター以外にカウンターを持ち、このカウンターはファックスと複合した時はファックスモードでの通紙カウンターとしてのみ働くようにする。また、カウンターを複写機単体の場合は、コピー専用カウンターとして働かせる。
（６）ファックスとコピーのキー表示をスライド式のパネルにより入力パッド面を切り換える方式の入力機構で、これにスイッチ機構を内蔵させ、ファックス／コピー切換んイッチまたは上記パネルのどちらか１つの切り換えでコピーとファックスのモードを切り換えることができるようにする。
　切換スイッチで切り換えた場合、スライド式のパネルがファックスになっていないと警告表示を出す。さらに、コピーモードからファックスモードへ移るときに、コピーのモードをセーブし、ファックスモードからコピーモードへ移るときにセーブしたコピーモードを表示する。
（７）コピーモードからファックスモードへ移るときに、ＡＤＦ使用時で原稿台に原稿がある場合はその原稿を排出する。ＡＤＦを使用していない場合は、警告表示を出す。
　イニシャル時のモードをコピーかファックスか選択できる。一定時間以上、装置の操作が行われないと、イニシャルモードがセットされる。
（８）キーカウンター（キーカード）をセットされていないときでも、スイッチまたはパネルによりファックスモードに移すことができる。さらに、ファックスモード時、キーカウンター表示は消えて送信可能となる。
　以上のように、複合装置の操作モードを適宜に設定することにより、使用者にとって複雑な複合装置の操作が簡便になる。
〔効果〕
　本発明は前述のような構成になっており、ファックスのプリントアウトを複写装置の空いているときに行うため、ダウンタイムを短くすることができ、使用効率の高い複写装置を提供することができる。
【図面の簡単な説明】
　図はすべて本発明の実施例を説明するためのもので、
　第１図は、実施例による複合装置のブロック図、
　第２図は、その複合装置のうちの複写機の概略構成図、
　第３図は、複写機の書き込み部の平面図、
　第４ａ図ならびに第４ｂ図は、プリンタ部のブロック図、
　第５図は、イメージスキャナ部のブロック図、
　第６図は、ファックス部のブロック図、
　第７図は、電源部のブロック図、
　第８図は、複合装置の前面から見た部品配置図
　第９図は、複合装置の後面から見た部品配置図
　第１０図は、電源供給回路図、
　第１１図は、ＤＣ電源回路図、
　第１２図は、キーによるファックスとコピーのモード選択のフローチャート、
　第１３図は、パッドによるファックスとコピーのモード選択のフローチャート、
　第１４図は、コピーとファックスのモードリセットのフローチャート、
　第１５図は、キーカウンター表示のフローチャート、
　第１６図は、カウンター制御のフローチャート、
　第１７図は、ソー夕ー制御のフローチャート、
　第１８図は、コピーモード時におけるファックス受信制御のフローチャート、
　第１９図は、予熱モード中におけるファックス受信制御のフローチャート、
　第２０図は、ファックスプリント終了後のフローチャート、
　第２１図は、電源制御方式のフローチャート、
　第２２図は、ファックスプリントアウトのフローチャート、
　第２３図は、複写単能機として用いる場合の操作パネルの平面図、
　第２４図は、複合装置として用いる場合の操作部の平面図、
　第２５図は、切換レバーがコピー側にある状態を示す表示パネル切換機構の断面図、
　第２６図は、切換途中の状態を示す表示パネル切換機構の断面図、
　第２７図は、切換レバーがファックス側にある状態を示す表示パネル切換機構の断面図、
　第２８図は、表示パネル部の制御ブロック図、
　第２９図は、画像データの入力をスキャナからファックスインターフェースボードに変える回路図、
　第３０図は、送信画像信号の流れを示すフローチャート、
　第３１図は、受信画像信号の流れを示すフローチャート、
　第３２図は、ファックスインターフェース板内での信号の流れを示すブロック図である。
　８１……電源ユニット
　８２……操作部
　８７……ドアスイッチ
　８８……トータルカウンタ
　８９……ファックス受信カウンタ
　９０……通信回路板
　９１……受話器
　９２……メイン制御板
　１１１……ビン
　１１７……モデム
　１１８……ファックスインターフェース板
　３１７……コピー／ファックス切換レバー
　３４５……コピー／ファックス切換スイッチ
　３４７……コピー表示パネル
　３４８……ファックス表示パネル
　Ａ……スキャナ部
　Ｂ……操作部
　Ｃ……プロッタ部
　Ｄ……ファックス部
　ＳＷ１……サブスイッチ
　ＳＷ２……メインスイッチ